(57)【要約】      （修正有）【課題】大きさ、形状の異なる異種の収容物を、見た目が良く、しかも収容物が移動しないように収容することができ、作成が容易で製造コストがかからない化粧箱を提供する。【解決手段】複数の収容物を収容する化粧箱を有する化粧セットであって、前記化粧箱は、少なくとも一つの面が開口した開口部１０ｋを有する箱本体１０と、前記箱本体に一体に形成され、前記開口部を塞ぐように形成された蓋部と、前記箱本体の内部に収容され、前記箱本体を区画するとともに前記収容物を付勢する一又は複数の仕切部２１、２２を有する区画部材２０とからなり、前記区画部材２０で区画された空間に収容され、壁面に内部の液量を計るための目盛りを有し液体を収納する容器と、この容器に注入される定量の粉末化粧品と、前記粉末化粧品及び／又は前記液体を前記容器に注入するためのじょうごとからなることを特徴とする。【選択図】図１
0003145288.tif 000002
【実用新案登録請求の範囲】
【請求項１】
複数の収容物を収容する化粧箱を有する化粧セットであって、
前記化粧箱は、
少なくとも一つの面が開口した開口部（１０ｋ）を有する箱本体（１０）と、
前記箱本体に一体に形成され、前記開口部を塞ぐように形成された蓋部（１３）と、
前記箱本体の内部に収容され、前記箱本体を区画するとともに前記収容物を付勢する一又は複数の仕切部(２１、２２)を有する区画部材（２０）とからなり、
前記区画部材（２０）で区画された空間に収容され、壁面に内部の液量を計るための目盛りを有し液体を収納する容器（２）と、
この容器に注入される定量の粉末化粧品（３）と、
前記粉末化粧品（３）及び／又は前記液体を前記容器に注入するためのじょうご（４）とからなる
ことを特徴とする化粧箱を有する化粧セット。
【請求項２】
請求項１に記載された化粧箱を有する化粧セットにおいて、
前記仕切部は、
前記区画部材を一方の側に折り曲げることにより形成された山折り部（２１ａ、２２ａ）と、
前記区画部材を他方の側に折り曲げることにより形成された一対の谷折り部（２１ｂ、２１ｃ、２２ｂ、２２ｃ）とからなり、
前記一対の谷折り部は、前記山折り部を対称軸とするとともに前記山折り部に平行に形成された
ことを特徴とする化粧箱を有する化粧セット。
【請求項３】
請求項２に記載された化粧箱を有する化粧セットにおいて、
前記谷折り部は、一又は複数の切れ込み（２１ｄ、２２ｄ）が形成されている
ことを特徴とする化粧箱を有する化粧セット。
【請求項４】
請求項１又は２に記載された化粧箱を有する化粧セットにおいて、
前記じょうごは、前記化粧箱と同一の紙素材からなり、平板状に折りたたみ可能である
ことを特徴とする化粧箱を有する化粧セット。
【請求項５】
請求項４に記載された化粧箱を有する化粧セットにおいて、
前記じょうごは、４枚の紙素材を接着することにより、角錐状に形成されている
ことを特徴とする化粧箱を有する化粧セット。
【請求項６】
請求項１又は２に記載された化粧箱を有する化粧セットにおいて、
前記区画された空間に収容され、顔面を覆うように形成され、前記粉末化粧品を前記液体に解かしてつくられた化粧水が含浸するフェイスマスク（５、１０５）を有する
ことを特徴とする化粧箱を有する化粧セット。
【請求項７】
請求項６に記載された化粧箱を有する化粧セットにおいて、
前記フェイスマスクは、円筒状に圧縮して形成された
ことを特徴とする化粧箱を有する化粧セット。
【請求項８】
請求項６に記載された化粧箱を有する化粧セットにおいて、
前記フェイスマスクは、前記区画された空間にあわせて、折りたたみ巻いて形成された
ことを特徴とする化粧箱を有する化粧セット。
【考案の詳細な説明】
【技術分野】
【０００１】
本考案は、複数の収容物を包装し収納するための化粧箱を有する化粧セットに関する。さらに詳しくは、仕切によって区画された箇所にそれぞれの収容物を包装する化粧箱を有する化粧セットに関する。
【背景技術】
【０００２】
従来、化粧箱は、箱本体に仕切を単に設けて、区分された箇所に化粧瓶等の品物を配置しているだけなので、大きさ、形状の異なる異種の品物を、見た目良く、配置がずれないように収容することができないものが多い。また、化粧箱及び仕切は、それぞれ、違う種類の部材で構成されていることが多く、別々に製造していることが多いため生産効率が悪く、コストが増大してしまう。また、化粧箱及び仕切を１枚のシート部材によって構成されているものもあるが、切り欠いた場所や折曲げ箇所が多く、組み立て作業が複雑化している。さらに、化粧箱の仕切には、付勢効果がなく収容物がしっかり固定（パッキング）されていなかった。
【０００３】
近年、仕切部材と段部からなる化粧箱が提案されている（例えば、特許文献１参照）。この化粧箱では、大きさ、形状の異なる異種の品物を、見た目が良く、しかも配置がずれてしまわないように収容することができるとされている。さらに、１枚のシートを折りたたみ、組み合わせることによって形成される仕切り体及びそれを充填した包装箱が提案されている（例えば、特許文献２参照）。
【特許文献１】実開平０７−３１６１５号公報
【特許文献２】特開平１１−２２７７４９号公報
【考案の開示】
【考案が解決しようとする課題】
【０００４】
しかしながら、特許文献１に示されたものは、仕切部材と段部が別部材で形成されていることから、製造コストが増大してしまう問題点が生じるおそれがあった。また、仕切部材に付勢力がなく、収容物が配達中に移動してしまうという問題点が生じるおそれがあった。特許文献２に示されたものは、１枚のシートの折りたたみ箇所が多く、組み立て作業が複雑であるという問題点が生じるおそれがあった。
【０００５】
本考案は、以上のような従来の問題点を解決するために考案されたもので、次の目的を達成する。
【０００６】
本考案の目的は、大きさ、形状の異なる異種の収容物を、見た目が良く、しかも収容物が移動しないように収容することができる化粧箱を有する化粧セットを提供することにある。
また、本考案の他の目的は、作成が容易で製造コストがかからない化粧箱を有する化粧セットを提供することにある。
【課題を解決するための手段】
【０００７】
本考案は、前記目的を達成するために次の手段をとる。
本考案１の化粧箱を有する化粧セットは、複数の収容物を収容する化粧箱を有する化粧セットであって、前記化粧箱は、少なくとも一つの面が開口した開口部を有する箱本体と、前記箱本体に一体に形成され、前記開口部を塞ぐように形成された蓋部と、前記箱本体の内部に収容され、前記箱本体を区画するとともに前記収容物を付勢する一又は複数の仕切部を有する区画部材とからなり、前記区画部材で区画された空間に収容され、壁面に内部の液量を計るための目盛りを有し液体を収納する容器と、この容器に注入される定量の粉末化粧品と、前記粉末化粧品及び／又は前記液体を前記容器に注入するためのじょうごとからなることを特徴とする。
【０００８】
本考案２の化粧箱を有する化粧セットは、本考案１において、前記仕切部は、前記区画部材を一方の側に折り曲げることにより形成された山折り部と、前記区画部材を他方の側に折り曲げることにより形成された一対の谷折り部とからなり、前記一対の谷折り部は、前記山折り部を対称軸とするとともに前記山折り部に平行に形成されたことを特徴とする。
【０００９】
本考案３の化粧箱を有する化粧セットは、本考案２において、前記谷折り部は、一又は複数の切れ込みが形成されていることを特徴とする。
【００１０】
本考案４の化粧箱を有する化粧セットは、本考案１又は２において、前記じょうごは、前記化粧箱と同一の紙素材からなり、平板状に折りたたみ可能であることを特徴とする。
【００１１】
本考案５の化粧箱を有する化粧セットは、本考案４において、前記じょうごは、４枚の紙素材を接着することにより、角錐状に形成されていることを特徴とする。
【００１２】
本考案６の化粧箱を有する化粧セットは、本考案１又は２において、前記区画された空間に収容され、顔面を覆うように形成され、前記粉末化粧品を前記液体に解かしてつくられた化粧水が含浸するフェイスマスクを有することを特徴とする化粧箱を有する化粧セット。
【００１３】
本考案７の化粧箱を有する化粧セットは、本考案６において、前記フェイスマスクは、円筒状に圧縮して形成されたことを特徴とする。
【００１４】
本考案７の化粧箱を有する化粧セットは、本考案６において、前記フェイスマスクは、前記区画された空間にあわせて、折りたたみ巻いて形成されたことを特徴とする。
【考案の効果】
【００１５】
本考案の化粧箱を有する化粧セットは、化粧箱に大きさ、形状の異なる異種の収容物を、見た目が良く、しかも収容物が移動しないように収容することができる。また、化粧箱は、１枚の部材で構成されているので、製造コストが軽減される。また、構成が簡素化されており、作成が容易であるため、製造コストが軽減される。
【００１６】
さらに、本考案の化粧箱を有する化粧セットは、化粧箱が、郵便受箱の差込口の規格に合わせた大きさである。このため、受取人が、不在であっても郵便ポストに投函されるので、受取人は商品を待つことなく受け取ることができる。
【考案を実施するための最良の形態】
【００１７】
以下、本考案の実施の形態を図面に基づいて説明する。
化粧箱を有する化粧セットの実施の形態として、手作り用混合化粧品のセットの化粧箱を例にして説明を行う。
【００１８】
図１は、化粧箱を有する化粧セットの本実施の形態である手作り用混合化粧品のセットの化粧箱の外観を示す図であって、箱本体に区画部材が装着されている状態を示す外観図である。図２は、化粧箱を有する化粧セットの本実施の形態である手作り用混合化粧品のセットの化粧箱を示す図であって、箱本体に区画部材を装着する前の状態を示す外観図である。
【００１９】
図３は、図１の手作り用混合化粧品のセットに化粧品等を梱包した状態を示す外観図である。図４は、化粧箱、区画部材、カバー部材、じょうごの展開図が記載された１枚のシート部材を示す外観図である。図５は、箱本体に区画部材を装着する前の状態を示す正面図である。図６は、箱本体に区画部材を装着されている状態を示す正面図である。図７は、組立てたじょうごを示す外観図である。図８（ａ）〜（ｄ）は、フェイスマスクを折りたたんで巻く工程の概要を示す工程図である。
【００２０】
なお、本実施の形態において説明の便宜上、化粧箱の内側に向かう方向を内側方向とする。また、化粧箱の外側に向かう方向を外側方向とする。さらに、図中に記載されている一点鎖線は、山折り線を表し、二点鎖線は、谷折り線を表す。
【００２１】
図１又は図２に示すように化粧箱１は、箱本体１０と区画部材２０とから構成されている。図４に示すように、箱本体１０は、１枚のシート６０に記載された展開図を切り抜き、これをそれぞれの部位に応じて折り曲げ、係合することで平型の略直方体形状に形成されている。箱本体１０は、底面部１１、背面部１２、蓋部１３、差込部１４、第一正面部１５ａ、第二正面部１５ｂ、第一側面部１６ａ、第二側面部１６ｂ、第一係合面部１７ａ、第二係合面部１７ｂ、第一フラップ１８ａ、第二フラップ１８ｂが一体に形成されていることで構成されている。
【００２２】
図２に示すように、箱本体１０は、底面である底面部１１の周りを正面部１５、第一側面部１６ａ、第二側面部１６ｂ、第一係合面部１７ａ及び第二係合面部１７ｂに囲まれ収容物を収容する収容部３０が形成されている。箱本体１０は、底面部１１と対向する面が開口する開口部１０ｋが形成されており、収容物が開口部１０ｋより収容できるように形成されている。
【００２３】
箱本体１０は、一体に形成された蓋部１３の開閉により開口部１０ｋを塞ぐことができる。蓋部１３は、開状態、閉状態とすることができ、開状態のときに収容物を出し入れできるように形成されている。箱本体１０は、第一フラップ１８ａと第二フラップ１８ｂが、閉状態のとき正面部１５との間にできた隙間に差込部１４を挿入することで密封状態となる。本実施の形態において、箱本体１０は、郵便受箱の差込口に入れることのできる大きさに形成されていると良く。本例では、箱本体１０は、幅１３２．５ｍｍ、奥行き１２６ｍｍ、高さ２５ｍｍの大きさに形成されている。
【００２４】
図２に示すように、底面部１１は、長方形形状に形成され、本例では、長辺１３２．５ｍｍ、短辺１２６ｍｍに形成されている。底面部１１は、その一の長辺には背面部１２が、他の長辺には正面部１５がそれぞれ一体に形成されている。また、底面部１１は、その一の短辺には第一側面部１６ａが、他の短辺には第二側面部１６ｂがそれぞれ一体に形成されている。
【００２５】
図２又は図４に示すように、底面部１１には、一の長辺側の略中央に略半円形状に形成された吊下片１１ａが設けられている。吊下片１１ａは、一の長辺の略中央の一部を直径として、内側方向に略半円形状に破線状の孔（以下、単に「ミシン目」という。）を設けることで形成されている。吊下片１１ａは、その略中央に貫通孔１１ｂが設けられている。本実施の形態の貫通孔１１ｂは、略Ｔ字形状に形成されているが、商品陳列棚の吊下棒等を挿通させることができればどのような形状でも良い。
【００２６】
すなわち、吊下片１１ａは、店頭販売等するときなどに商品陳列棚の吊下棒等に挿通させる際に使用されるものである。このため、本実施の形態の化粧箱１は、店頭販売する場合には、あらかじめミシン目に沿って底面部から吊下片１１ａの一部を切り離し、商品陳列棚の吊下棒等に貫通孔１１ｂ挿通して陳列することができる。
【００２７】
図２又は図４に示すように、底面部１１には、他の長辺側の略中央に引っ掛け片１１ｃが形成されている。引っ掛け片１１ｃは、他の長辺側の略中央の内側方向より外側方向に略半円形状に切り込まれて形成されている。引っ掛け片１１ｃは、直径を１５ｍｍとした円周上を略半円形状に切り込まれていると良い。引っ掛け片１１ｃは、後述する押さえ面部１５ｃを係合できるように設けられている。引っ掛け片１１ｃに、押さえ面部１５ｃが係合することで、正面部１５が底面部１１から略直角に立設される。
【００２８】
背面部１２は、長方形形状に形成され、本例では、長辺１３２．５ｍｍ、短辺２５ｍｍに形成されている。背面部１２は、その一の長辺には蓋部１３が、他の長辺には底面部１１がそれぞれ一体に形成されている。蓋部１３は、長方形形状に形成され、本例では、長辺１３２．５ｍｍ、短辺１２５ｍｍに形成されている。蓋部１３は、その一の長辺には差込部１４が、他の長辺には背面部１２がそれぞれ一体に形成されている。
【００２９】
差込部１４は、略長方形形状に形成され、本例では長辺１３２．５ｍｍ、短辺２３ｍｍに形成されている。差込部１４は、その一の長辺には差込部１４が一体に形成されている。差込部１４の他の長辺の両端は、面取りが行われていると挿入するときに円滑に挿入できるので良い。差込部１４は、後述する第一フラップ１８ａと第二フラップ１８ｂが、閉状態のとき正面部１５との間にできた隙間に差込むことで、箱本体１０を密封状態とすることができる。
【００３０】
正面部１５は、長方形形状に形成され、本例では、長辺１３２．５ｍｍ、短辺２５ｍｍに形成されている。図４に示すように、正面部１５は、外側面が第一正面部１５ａと内側面が第二正面部１５ｂの２枚から形成されている。第一正面部１５ａは、長方形形状に形成され、本例では、長辺１３２．５ｍｍ、短辺２５ｍｍに形成されている。第二正面部１５ｂは、長方形形状に形成され、本例では、長辺１３２．５ｍｍ、短辺２４ｍｍに形成されている。
【００３１】
第一正面部１５ａは、その一の長辺には底面部１１が一体に形成され、他の長辺には第二正面部１５ｂがそれぞれ一体に形成されている。第二正面部１５ｂは、その一の長辺には第一正面部１５ａが一体に形成され、他の長辺には押さえ面部１５ｃがそれぞれ一体に形成されている。
【００３２】
第一正面部１５ａと第二正面部１５ｂは、お互いが向き合うように折り込まれ、底面部１１に略直角に立設するように形成されている。第一正面部１５ａと第二正面部１５ｂの折り込まれた間には、後述する第一芯材部１９ａ及び第二芯材部１９ｂが挟み込まれている。第一芯材部１９ａ及び第二芯材部１９ｂは、容器として組立時に、第一正面部１５ａと第二正面部１５ｂと後述する第一側面部１６ａと第二側面部１６ｂとをそれぞれ連結するためのものである。
【００３３】
押さえ面部１５ｃは、長方形形状に形成され、本例では長辺１３２．５ｍｍ、短辺１２ｍｍに形成されている。押さえ面部１５ｃは、その一の長辺には第二正面部１５ｂが一体に形成されている。押さえ面部１５ｃは、引っ掛け片１１ｃと係合することにより、正面部１５が底面部１１から略直角に立設される。
【００３４】
第一側面部１６ａは、長方形形状に形成され、本例では長辺１２６ｍｍ、短辺２４ｍｍに形成されている。第一側面部１６ａは、その一の長辺には底面部１１が、他の長辺には第一フラップ１８ａが一体に形成されている。また、第一側面部１６ａは、その一の短辺には第一係合面部１７ａが、他の短辺には第一芯材部１９ａが一体に形成されている。
【００３５】
第二側面部１６ｂは、長方形形状に形成され、本例では長辺１２６ｍｍ、短辺２４ｍｍに形成されている。第二側面部１６ｂは、その一の長辺には底面部１１が、他の長辺には第二フラップ１８ｂが一体に形成されている。また、第二側面部１６ｂは、その一の短辺には第二係合面部１７ｂが、他の短辺には第二芯材部１９ｂが一体に形成されている。
【００３６】
第一係合面部１７ａは、長方形形状に形成され、本例では長辺８５ｍｍ、短辺２４ｍｍに形成されている。第一係合面部１７ａは、その一の短辺には第一側面部１６ａが形成されている。第一係合面部１７ａには、他の長辺側に切欠１７ｃが形成されており、後述する第二係合面部１７ｂに形成された切欠１７ｄと係合するように形成されている。
【００３７】
第二係合面部１７ｂは、長方形形状に形成され、本例では長辺８５ｍｍ、短辺２４ｍｍに形成されている。第二係合面部１７ｂは、その一の短辺には第二側面部１６ｂが形成されている。第二係合面部１７ｂには、他の長辺側に切欠１７ｄが形成されており、第一係合面部１７ａに形成された切欠１７ｃと係合するように形成されている。第一係合面部１７ａと第二係合面部１７ｂは、それぞれ切欠１７ｃ、１７ｄが形成されており、これを係合することで収容部３０の側面の一つを形成している。
【００３８】
第一芯材部１９ａは、その一の短辺には、第一側面部１６ａが形成されている。第二芯材部１９ｂは、その一の短辺には、第二側面部１６ｂが形成されている。第一芯材部１９ａ及び第二芯材部１９ｂは、第一正面部１５ａと第二正面部１５ｂの折り込まれた間に挟み込まれてている。つまり、第一芯材部１９ａ及び第二芯材部１９ｂは、正面部１５が底面部１１から立設するのを補助している。
【００３９】
第一フラップ１８ａ及び第二フラップ１８ｂは、長方形形状に形成され、本例では長辺１２３ｍｍ、短辺６３ｍｍに形成されている。第一フラップ１８ａは、その一の長辺には、第一側面部１６ａが形成されている。第二フラップ１８ｂは、その一の長辺には、第二側面部１６ｂが形成されている。第一フラップ１８ａ及び第二フラップ１８ｂの他の長辺の両端は、美観上面取りが行われていると良い。
【００４０】
第一フラップ１８ａと第二フラップ１８ｂとは、開口部１０ｋを塞ぐように開閉自在に形成されている。箱本体１０は、第一フラップ１８ａと第二フラップ１８ｂが、閉状態のとき正面部１５との間にできた隙間に差込部１４を挿入することで密封状態となる。
【００４１】
図４に示すように、区画部材２０は、長方形形状の１枚のシート６０に記載された展開図を切り抜き、これをそれぞれの部位に応じて折り曲げることで作られている。区画部材２０は、その区画部材２０上に短辺と平行になるように山折り線２１ａ、２２ａと谷折り線２１ｂ、２１ｃ、２２ｂ及び２２ｃが形成されている。
【００４２】
山折り線２１ａは、平行に形成された谷折り線２１ｂ、２１ｃと平行に形成されている。また、山折り線２１ａから谷折り線２１ｂまでの距離は、山折り線２１ａから谷折り線２１ｃまでの距離と同一である。つまり、谷折り線２１ｂ、２１ｃは、山折り線２１を対称軸として対称位置に平行に形成されている。
【００４３】
山折り線２２ａは、平行に形成された谷折り線２２ｂ、２２ｃと平行に形成されている。また、山折り線２２ａから谷折り線２２ｂまでの距離は、山折り線２２ａから谷折り線２２ｃまでの距離と同一である。つまり、谷折り線２２ｂ、２２ｃは、山折り線２２を対称軸として対称位置に平行に形成されている。区画部材２０は、山折り線２１ａ、２２ａ及び谷折り線２１ｂ、２１ｃ、２２ｂ、２２ｃを折り曲げることで、第一仕切部２１、第二仕切部２２が形成される。
【００４４】
図１に示すように区画部材２０は、箱本体１０に収容されることで、収容部３１、３２、３３が形成される。区画部材２０は、第一仕切部２１及び第二仕切部２２を折り曲げて形成した際に収容部３０に収まるように、収容部３０の大きさと略同一に形成されている。本例では、区画部材２０は、折り曲げられ、箱本体１０に収容された状態で長辺１３１ｍｍ、短辺１２３．５ｍｍに形成されている。
【００４５】
図４又は図５に示すように、第一仕切部２１は、区画部材２０上の一の山折り線２１ａと二つの谷折り線２１ｂ、２１ｃを折り曲げることにより凸状に形成されている。図２又は図５に示すように、区画部材２０が箱本体１０に収納されていない状態において、第一仕切部２１の凸状は、山折り線２１ａを頂角の点とし、谷折り線２１ｂ、２１ｃを底角の点とする略二等辺三角形上に形成されている。
【００４６】
図１又は図６に示すように、区画部材２０を箱本体１０に収容すると、区画部材２０は、幅方向に押さえ込まれ、谷折り線２１ｂと谷折り線２１ｃが接触する。このとき、山折り線２１ａから谷折り線２１ｂにかけて弓状に撓み、山折り線２１ａから谷折り線２１ｃにかけて弓状に撓む。この、山折り線２１ａから谷折り線２１ｂにかけての弓状の形状と山折り線２１ａから谷折り線２１ｃにかけての弓状の形状とは、略対称に形成される。
【００４７】
第一仕切部２１の下端に位置する谷折り線２１ｂ、２１ｃには、複数の切れ込み２１ｄが形成されており、上端に位置する山折り線２１ａには、切れ込みが形成されていない。つまり、区画部材２０を箱本体１０に収容したとき、第一仕切部２１の下端である谷折り線２１ｂと谷折り線２１ｃは、切れ込み２１ｄが形成されているため、しっかり折れ曲がり、お互いが密着する。
【００４８】
これに対して、第一仕切部２１の上端である山折り線２１ａは、切れ込みが形成されていないので、完全に折れ曲がることはなく付勢力を有する弓状に撓む。すなわち、図１又は図３に示すように、第一仕切部２１は、弓状に撓んでいることにより付勢力が生じている。このため、収容物は、収容部３１において第一仕切部２１に生じている付勢力によりずれなく収容される。
【００４９】
なお、第二仕切部２２もその構成が第一仕切部２１とほぼ同様である。このため第二仕切部２２についても同様に付勢力が生じている。このため、収容部３２に収容物を収容したときは、第一仕切部２１及び第二仕切部２２の付勢力により、ずれなく収容される。さらに、収容部３３に収容物を収容したとき、第一仕切部２１の付勢力により、ずれなく収容される。なお、第一仕切部２１及び第二仕切部２２は、弓状に撓んでいるため、各収容部３１、３２、３３の幅よりもやや大きい収容物であっても収容される。
【００５０】
本実施の形態において、区画部材２０は、第一仕切部２１及び第二仕切部２２が形成されていることにより、３つの収容部が形成されている。しかし、これに限定されることなく、仕切部の数を増減することにより収容部の数を増減させても良いことはいうまでもない。
【００５１】
図３又は図４に示すように、カバー部材４０は、略長方形形状の１枚のシート６０に記載された展開図を切り抜き、これをそれぞれの部位に応じて折り曲げることで形成されている。カバー部材４０は、上面部４０ａ、第一側面部４０ｂ、第二側面部４０ｃ、背面部４０ｄ及び正面部４０ｅが一体に形成されている。上面部４０ａは、長方形形状に形成されており、その一対の短辺に第一側面部４０ｂ及び第二側面部４０ｃがその一対の長辺に背面部４０ｄ及び正面部４０ｅが形成されている。
【００５２】
カバー部材４０は、収容部３２に収容されるように、上面部４０ａ長辺の長さが収容部３２の幅と略同一に形成されている。また、第一側面部４０ｂ、第二側面部４０ｃ、背面部４０ｄ及び正面部４０ｅの短辺の長さが、収容部の高さと略同一に形成されている。
【００５３】
上面部４０ａは、長方形形状に形成され、本例では長辺７２ｍｍ、短辺７１ｍｍに形成されている。また、第一側面部４０ｂ及び第二側面部４０ｃは、長方形形状に形成され、本例では、長辺７２ｍｍ、短辺２１ｍｍに形成されている。さらに、背面部４０ｄ及び正面部４０ｅは、長方形形状に形成され、本例では、長辺７２ｍｍ、短辺２１ｍｍに形成されている。
【００５４】
図３に示すように、カバー部材４０は、第一側面部４０ｂ、第二側面部４０ｃ、背面部４０ｄ及び正面部４０ｅが、上面部４０ａに対して直角に折り曲げられる。そして、カバー部材４０は、収容部３２に収容された収容物の一部が配送中などに移動しないようにカバーすることができる。本実施の形態においては、カバー部材４０は、じょうご５０及びフェイスマスク５をカバーしている。しかし、このような部材をカバーすることに限定されず他の部材をカバーしても良いことはいうまでもない。カバー部材は、第一仕切部２１及び第二仕切部２２の付勢力により収容部３２においてずれなく収容される。
【００５５】
図３に示すように、本実施の形態の化粧箱は、区画部材２０、容器２、粉末化粧品３、じょうご５０、フェイスマスク５、小容器６及び小容器７を収容している。しかし、これらの構成物品に限らず他の構成物品を収容しても良いことはいうまでもない。
【００５６】
容器２は、容器本体、ふた及び吐出量調整キャップから構成されている。吐出量調整キャップは、容器２から吐出される液体の吐出量を調整するキャップであり、容器本体の口に取り外し自在に設けられている。容器２は、少なくとも一部が内部を見ることができる透明又は半透明に形成されたポリエチレン等のプラスチック等の部材で構成されていると良い。本実施の形態において、容器２は、目盛りが付されており、容器内で製造される化粧水の濃度を調整することができる。本実施の形態において容器２は、その中に、粉末化粧品３及び液体（例えば、精製水）等を入れた後、蓋を閉じて振るなどすることによって好みの濃度の化粧水を製造することができる。
【００５７】
容器２は、第一仕切部２１により仕切られた収容部３１に収容される。容器２は、収容部３１の幅と略同一の幅に形成されていると良い。収容物である容器２は、第一仕切部２１の付勢力により、ずれなく収容される。なお、容器２は、収容部３１の幅より大きめの幅に形成されていても良い。
【００５８】
粉末化粧品３は、本例では小袋に封入された粉末のビタミンＣ誘導体等である。本実施の形態においては、ビタミンＣ誘導体は、アスコルビルリン酸Ｎａ及びリン酸アスコルビルＭｇが配合されているが、これに限らず、他のもので配合されても良いことはいうまでもない。粉末化粧品３は、じょうご５０によって容器２に入れられ、所定の量の精製水等を混ぜることによって化粧水として使用することができる。なお、化粧水は、精製水等の量により好みの濃度にすることができ、容器２に記載されている目盛りによって調整できる。
【００５９】
図３、図４及び図７に示すように、じょうご５０は、略長方形形状の１枚のシート６０に記載された展開図を切り抜き、これをそれぞれの接着することで形成されている。じょうご５０は、扇子状の形をした４枚のじょうご部材５１、５２、５３、５４が、接着剤等により接着されることで、使用時は角錐状の形をしたものであり、容器１に収納時は平板状に折りたたみ可能に構成されている。じょうご５０の吐出口の大きさは、容器２の吐出量調整キャップをとった状態の注入口の内径の大きさと略同一の大きさに形成されている。
【００６０】
図４に示すように、じょうご部材５１は、表面部５１ａ、貼付面部５１ｂ及び吐出片５１ｃにより一体に構成されている。表面部５１ａは、台形形状に形成されている。なお、本実施の形態において説明の便宜上、じょうご５０を構成するじょうご部材においては、これらを構成する台形形状の平行線の短い線を下底とし、長い線を上底として説明をする。
【００６１】
表面部５１ａは、その下底には、吐出片５１ｃが形成され、下底と上底を結ぶ一の辺には、貼付面部５１ｂが形成されている。表面部５１ａは、その内側の面に他のじょうご部材の貼付面部が接着剤等で接着されている。本例では、表面部５１ａの内側の面には、貼付面部５４ｂが接着されている。なお、他のじょうご部材５２、５３、５４についても同様に形成されており、表面部５２ａには貼付面部５１ｂが、表面部５３ａには貼付面部５２ｂが、表面部５４ａには貼付面部５３ｂが、それぞれ接着されている。このように構成されることにより、角錐状の注入口が形成される。
【００６２】
吐出片５１ｃ、５２ｃ、５３ｃ及び５４ｃは、それぞれのじょうご部材５１、５２、５３、５４の表面部と貼付面部が接着されていることにより、略角錐状の形状の吐出口が形成されている。注入口と吐出口の間は、それぞれのじょうご部材５１、５２、５３、５４の表面部と貼付面部が接着されていることによりそれぞれ段差部が形成されている。
【００６３】
前述したとおり、じょうご５０の吐出口の外径の大きさは、容器２の吐出量調整キャップをとった状態の注入口の内径の大きさと略同一の大きさに形成されている。また、じょうご５０に形成された段差部の外径の大きさは、容器２の吐出量調整キャップをとった状態の注入口の内径の大きさより大きく形成されている。じょうご５０は、その吐出口を容器２の注入口に差し込むと段差部でひっかかる。このため、じょうご５０は、安定した状態で容器２に差し込まれる。
【００６４】
図３に示すように、フェイスマスク５は、圧縮されたコイン形状又は小判型に形成されている。フェイスマスク５は、容器２の中で、精製水等と粉末化粧品３を混ぜることによって製造された化粧水を含ませることで広がる。なお、フェイスマスク５は、あらかじめ水を含ませて広げてから、化粧水を含ませても良いことはいうまでもない。
【００６５】
小容器６及び小容器７は、容器本体及びふたから構成されている。小容器６及び小容器７は、少なくとも一部が内部を見ることができる透明又は半透明に形成されたポリエチレンやポリプレピレンのようなプラスチック等の部材で構成されている。本実施の形態において小容器６には、クエン酸が、小容器７には、グリセリンが収容されている。しかし、これらに限らず他の物、例えば、ヒアルロン酸等を入れてもよいことはいうまでもない。
【００６６】
小容器６及び小容器７は、第二仕切部２２により仕切られた収容部３３に収容される。小容器６及び小容器７は、収容部３３の幅と略同一の幅に形成されている。収容物である小容器６及び小容器７は、第二仕切部２２の付勢力により、ずれなく収容される。なお、小容器６及び小容器７は、収容部３３の幅より大きめの幅に形成されていても良い。
【００６７】
図４に示すように、本実施の形態の化粧箱は、１枚のシート６０から構成されている。シート６０は、箱本体１０、区画部材２０、カバー部材４０、じょうご部材５１、じょうご部材５２、じょうご部材５３及びじょうご部材５４の展開図が記載されている。１枚のシート６０より、箱本体１０、区画部材２０、カバー部材４０及びじょうご５０が形成されるため、無駄なく化粧箱が作成でき、経済的である。
【００６８】
以上、本考案の実施の形態を説明したが、本考案はこの実施の形態に限定されることはない。本考案の目的、趣旨を逸脱しない範囲内での変更が可能なことはいうまでもない。
【００６９】
例えば、フェイスマスクは、折りたたみ巻くことで収容されるものであっても良い。図８（ａ）〜（ｄ）は、フェイスマスクを折りたたんで巻く工程の概要を示す工程図である。図８（ａ）に示すように、フェイスマスク１０５は、略円形状の不織布などで形成されており、顔に被せた時に目、鼻、口が塞がれないようにするため、これらに相当する部分を切り抜いたり、切り込みを入れて形成されている。
【００７０】
フェイスマスク１０５は、まず、略円形状の直径に相当する部分で２つ折りにして半円形状にする。さらに、半円形上にされたフェイスマスク１０５は、２つ折りにされる。つまり、図８（ａ）から図８（ｂ）に至る工程で、フェイスマスク１０５は、４つ折りにされる。次に、図８（ｂ）に示すように、フェイスマスク１０５は、３つ折りにされる。
【００７１】
図８（ｂ）から図８（ｃ）に示すように、４つ折りにされたフェイスマスク１０５は、更に３つ折りにされ、略長方形に形成される。次に、長方形形状に形成されたフェイスマスク１０５は、そのまま巻かれる。図８（ｄ）に示すように、巻かれたフェイスマスク１０５は、コンパクトに略円筒状に形成される。なお、図示していないが、フェイスマスク１０５は、巻き込みが緩まないように、シールやリボンなどで止めても良い。なお、フェイスマスク１０５は、区画部材２０により区画された収容部３１、３２、３３の大きさに合わせて折りたたみ巻かれていると良い。
【図面の簡単な説明】
【００７２】
【図１】図１は、化粧箱を有する化粧セットの本実施の形態である手作り用混合化粧品のセットの化粧箱を示す図であって、箱本体に区画部材が装着されている状態を示す外観図である。
【図２】図２は、化粧箱を有する化粧セットの本実施の形態である手作り用混合化粧品のセットの化粧箱を示す図であって、箱本体に区画部材を装着する前の状態を示す外観図である。
【図３】図３は、図１の手作り用混合化粧品のセットに化粧品等を梱包した状態を示す外観図である。
【図４】図４は、化粧箱、区画部材、カバー部材、じょうごの展開図が記載された１枚のシート部材を示す外観図である。
【図５】図５は、箱本体に区画部材を装着する前の状態を示す正面図である。
【図６】図６は、箱本体に区画部材を装着されている状態を示す正面図である。
【図７】図７は、組立てたじょうごのを示す外観図である。
【図８】図８（ａ）〜（ｄ）は、フェイスマスクを折りたたんで巻く工程の概要を示す工程図である。
【００７３】
１  …  化粧箱
１０  …  箱本体
１０ｋ  …  開口部
１３    …  蓋部
２０    …  区画部材
２１    …  第一仕切部
２２    …  第二仕切部
【図１】
0003145288.tif 000003
【図２】
0003145288.tif 000004
【図３】
0003145288.tif 000005
【図４】
0003145288.tif 000006
【図５】
0003145288.tif 000007
【図６】
0003145288.tif 000008
【図７】
0003145288.tif 000009
【図８】
0003145288.tif 000010